(57)【要約】【課題】簡易な構成で断熱材の端面と枠材との間に、長期に亘り安定した気密性を維持して結露等の発生を防止し得ると共に安定した固定状態が得られる壁パネルを提供する。【解決手段】一対の枠材と、該枠材間に介装される断熱材とを備えた壁パネルであって、前記枠材の断熱材当接面に凸条もしくは凹溝を設けると共に前記断熱材の枠材が当接する端面に凹溝もしくは凸条を設け、前記凸条と凹溝を嵌合させた状態で前記枠材と断熱材とが接合固定されていることを特徴とする。前記枠材の断熱材当接面に前記断熱材の端面が嵌入可能な段差状の切欠きが設けられ、また前記切欠きの所定位置に該切欠きの深さと同一高さの前記凸条が設けられる。【選択図】  図２
2010285741.tif 000002
【特許請求の範囲】
【請求項１】
一対の枠材と、該枠材間に介装される断熱材とを備えた壁パネルであって、
前記枠材の断熱材当接面に凸条もしくは凹溝を設けると共に前記断熱材の枠材が当接する端面に凹溝もしくは凸条を設け、前記凸条と凹溝を嵌合させた状態で前記枠材と断熱材とが接合固定されていることを特徴とする壁パネル。
【請求項２】
前記枠材の断熱材当接面に、前記断熱材の端面が嵌入可能な段差状の切欠きが設けられていることを特徴とする請求項１に記載の壁パネル。
【請求項３】
前記切欠きの所定位置に、該切欠きの深さと同一高さの前記凸条が設けられていることを特徴とする請求項２に記載の壁パネル。
【請求項４】
前記一対の枠材間に間柱が配置され、該間柱の断熱材当接面に前記凸条もしくは凹溝が設けられ、該間柱に当接する断熱材の断面に前記凹溝もしくは凸条が設けられていることを特徴とする請求項１ないし３のいずれかに記載の壁パネル。
【請求項５】
前記凸条もしくは凹溝の側面がテーパ状に形成されていることを特徴とする請求項１ないし４のいずれかに記載の壁パネル。
【発明の詳細な説明】
【技術分野】
【０００１】
本発明は、例えば木造軸組工法等の建築構造物に使用される壁パネルに関する。
【背景技術】
【０００２】
従来、前記建築構造物に使用される壁パネルとしては、例えば図７に示すような壁パネルが使用されている。この壁パネル１０１は、左右一対の枠材１０２と、この枠材１０２の中間位置に配置された間柱１０３と、枠材１０２と間柱１０３間に介装された断熱材１０４と、建築構造物の屋外側に配置された構造用面材１０５等によって形成されている。そして、この壁パネル１０１が、建築構造物の一対の柱１０６間に固定されるようになっている。なお、この種の壁パネルに関する公報としては、例えば特許文献１がある。
【先行技術文献】
【特許文献】
【０００３】
【特許文献１】特開平５−１３３０２０号公報
【発明の概要】
【発明が解決しようとする課題】
【０００４】
しかしながら、このような壁パネル１０１にあっては、図８に示すように、枠材１０２や間柱１０３の断熱材当接面１０２ａ、１０３ａ（１０３ａは図示せず）と断熱材１０４の端面１０４ａとが、単に平面で当接した状態で接合固定されているため、断熱材１０４の外形寸法精度や端面精度等により、断熱材１０４の端面１０４ａをその全域（全面）において、枠材１０２や間柱１０３の断熱材当接面１０２ａ、１０３ａに完全密着させることが難しく、断熱材１０４の端面１０４ａと枠材１０２等との間に僅かな隙間１０７が発生する場合がある。このような場合、屋内の蒸気（湿気）が図の矢印イの如く隙間１０７内に進入し、この蒸気が屋外側において結露し、例えば構造用面材１０５にしみが発生したり、壁パネル１０１自体の耐久性を劣化させる虞がある。
【０００５】
そこで、このような不都合を解消するために、断熱材１０４の端面１０４ａと枠材１０２や間柱１０３の当接部分を屋内側からテープ１０８によりシールする方法も考えられるが、この場合は、テープ１０８を直角状態で前記当接部分の全域に亘って貼付することが作業上極めて難しく、またコスト的にも不利になり易く、あまり使用されていないのが実情である。
【０００６】
本発明は、このような事情に鑑みてなされたもので、その目的は、簡易な構成により断熱材の端面と枠材等との間に、長期に亘り安定した気密性を維持して結露等の発生を防止し得ると共に安定した固定状態が得られる壁パネルを提供することにある。
【課題を解決するための手段】
【０００７】
かかる目的を達成すべく、本発明のうち請求項１に記載の発明は、一対の枠材と、該枠材間に介装される断熱材とを備えた壁パネルであって、前記枠材の断熱材当接面に凸条もしくは凹溝を設けると共に前記断熱材の枠材が当接する端面に凹溝もしくは凸条を設け、前記凸条と凹溝を嵌合させた状態で前記枠材と断熱材とが接合固定されていることを特徴とする。
【０００８】
また、請求項２に記載の発明は、前記枠材の断熱材当接面に、前記断熱材の端面が嵌入可能な段差状の切欠きが設けられていることを特徴とし、また、請求項３に記載の発明は、前記切欠きの所定位置に、該切欠きの深さと同一高さの前記凸条が設けられていることを特徴とする。さらに、請求項４に記載の発明は、前記一対の枠材間に間柱が配置され、該間柱の断熱材当接面に前記凸条もしくは凹溝が設けられ、該間柱に当接する断熱材の断面に前記凹溝もしくは凸条が設けられていることを特徴とする。また、請求項５に記載の発明は、前記凸条もしくは凹溝の側面がテーパ状に形成されていることを特徴とする。
【発明の効果】
【０００９】
本発明のうち請求項１に記載の発明によれば、一対の枠材の断熱材当接面と断熱材の枠材が当接する端面に凹溝もしくは凸条を設け、この凸条と凹溝を嵌合させた状態で枠材と断熱材とが接合固定されるため、凸条もしくは凹溝を設けるという簡易な構成により、断熱材の端面と枠材の断熱材当接面との間に凹凸嵌合状態が得られ、両者間に長期に亘り安定した気密性を維持できて結露等の発生を防止することができると共に、凸条と凹溝の嵌合により断熱材と枠材との間に安定した固定状態を得ることができる。
【００１０】
また、請求項２に記載の発明によれば、請求項１に記載の発明の効果に加え、枠材の断熱材当接面に断熱材の端面が嵌入可能な段差状の切欠きが設けられているため、断熱材の端面を枠材の断熱材当接面に確実に位置決め固定できて、断熱材と枠材との間に一層安定した固定状態を得ることができる。
【００１１】
また、請求項３に記載の発明によれば、請求項２に記載の発明の効果に加え、切欠きの所定位置に該切欠きの深さと同一高さの凸条が設けられているため、凸条を枠材に簡単な加工で形成できて、枠材の加工コストを低減させ安価な壁パネルを得ることができる。
【００１２】
さらに、請求項４に記載の発明によれば、請求項１ないし３に記載の発明の効果に加え、一対の枠材間に配置された間柱の断熱材当接面とこの間柱に当接する断熱材の断面に凸条もしくは凹溝が設けられているため、左右幅が大きな壁パネルの間柱と断熱材の接合部分にも安定した気密性を維持することができると共に安定した固定状態を得ることができる。
【００１３】
さらに、請求項５に記載の発明によれば、請求項１ないし４に記載の発明の効果に加え、凸条もしくは凹溝の側面がテーパ状に形成されているため、凸条と凹溝の嵌合時の気密性を一層良好に維持することができる。
【図面の簡単な説明】
【００１４】
【図１】本発明に係わる壁パネルの一実施形態を示す裏面図
【図２】同図１のＡ−Ａ線に沿った断面図
【図３】同枠材と断熱材の要部の分解斜視図
【図４】同壁パネルの組立方法の一例を示す説明図
【図５】同凸条と凹溝の変形例を示す断面図
【図６】同壁パネルの変形例を示す図２と同様の断面図
【図７】従来の壁パネルの断面図
【図８】同枠材と断熱材の接合部分の拡大断面図
【発明を実施するための形態】
【００１５】
以下、本発明を実施するための最良の形態を図面に基づいて詳細に説明する。
図１〜図４は、本発明に係わる壁パネルの一実施形態を示している。図１及び図２に示すように、壁パネル１は、左右に縦方向に配置された一対の枠材２と、上下に横方向に配置された一対の枠材３と、前記左右の枠材２間の中間位置に縦方向に配置された間柱４と、これらの枠材２、３と間柱４間に介装された左右一対の断熱材５と、この断熱材５の屋外側に配置された構造用面材６とを備えている。
【００１６】
そして、前記枠材２、３及び間柱４と断熱材５とは、凹凸嵌合によって接合固定されている。すなわち、図３に示すように、枠材２の端部で一方の側面となる断熱材当接面２ａには、段差状の切欠き７が形成され、この切欠き７の幅方向（図３において上下方向）の略中間位置には、該切欠き７の長手方向の全域に亘って凸条８が１条設けられている。また、前記間柱４には、図２に示すように、その端部の両側面となる断熱材当接面４ａに、枠材２と同様にして切欠き７がそれぞれ形成されると共に、凸条８が１条それぞれ形成されている。このとき、各凸条８は、図３に示すように、枠材２や間柱４の端部の側面に２つの溝８ａを切削加工することにより、溝８ａ間に残った部分が断面方形状の凸条８として加工されるようになっており、各凸条８の高さｈ１は溝８ａの深さと同一寸法に設定され、この溝８ａの深さは後述する凹溝９の深さｈ２と同一に設定されている。
【００１７】
また、前記断熱材５は、例えばＸＰＳ（押し出し法ポリスチレンフォーム）が使用され、図２及び図３に示すように、前記枠材２や間柱４が当接する端面５ａには、前記凸条８が嵌合可能な断面方形状の凹溝９が形成されている。そして、この断熱材５の左右の端面４ａ間の寸法は、枠材２や間柱４に設けられる前記切欠き７の深さ寸法（凹溝９の深さｈ２）の二倍分だけ長く形成されて、端面５ａが切欠き７部分に嵌入可能となっている。なお、図２及び図３においては、左右の枠材２や間柱４と断熱材５との接合部分について示しているが、上下の枠材３と断熱材５との間も、凸条８と凹溝９による凹凸嵌合で接合固定されるようになっている。また、前記枠材２、３としては、例えば針葉樹の乾燥材が使用され、構造用面材６としては、例えば構造用合板が使用される。
【００１８】
このような壁パネルは、図４に示すようにして組み立てられる。すなわち、左右及び上下の枠材２、３と間柱４の断熱材当接面２ａ、３ａ、４ａ（３ａは図示せず）に切欠き７と凸条８を加工し、断熱材５の端面５ａに凹溝９をそれぞれ加工する。そして、一方の枠材２の断熱材当接面２ａに矢印ロの如く左側の断熱材５の一方の端面５ａを当接させつつ凸条８に凹溝９を嵌合させ、この断熱材５の他方の端面５ａに間柱４の一方の断熱材当接面４ａを矢印ハの如く断熱材５の他方の端面５ａに当接させつつ凹溝９に凸条８を嵌合させる。
【００１９】
次に、この間柱４の他方の断熱材当接面４ａに矢印ニの如く右側の断熱材５の一方の端面５ａを当接させつつ凸条８に凹溝９を嵌合させ、さらに、この断熱材５の他方の端面５ａに矢印ホの如く右側の枠材２の断熱材当接面２ａを当接させつつ凹溝９に凸条８を嵌合させる。そして、この左右の枠材２及び間柱４と左右一対の断熱材５とが組み立てられた状態で、一対の断熱材５の上部と下部の端面に上下の枠材３を当接させつつ凹溝９に凸条８を嵌合させて、上下の枠材３を組み立てる。これにより、各枠材２、３と間柱４が一対の断熱材５を介して組み立てられ、この状態で左右の枠材２と上下の枠材３を、図１に示すように、釘１０によって固定する。
【００２０】
この各枠材２、３及び間柱４と断熱材５が組み立てられた状態で、図４の矢印ヘの如く、構造用面材６を各枠材２、３等の屋外側に図示しない釘で固定することにより、断熱材５の屋外側が構造用面材６で覆われた壁パネル１が製造される。そして、この壁パネル１は、図２に示す建築構造物の柱１１間に固定されることにより、建築構造物の壁面として使用されることになる。つまり、前記壁パネル１の場合、枠材２、３や間柱４の断熱材当接面２ａ、３ａ、４ａと断熱材５の端面５ａとが、凸条８と凹溝９の嵌合によって接合されると共に、切欠き７に断熱材５の端面５ａが嵌入した状態で固定されることになる。
【００２１】
このように、前記壁パネル１によれば、枠材２、３の断熱材当接面２ａ、３ａに凸条８を設けると共に断熱材５の枠材２、３が当接する端面５ａに凹溝９を設け、この凸条８と凹溝９を嵌合させた状態で枠材２、３と断熱材５とが接合固定されるため、凸条８もしくは凹溝９を設けるという簡易な構成により、断熱材５の端面５ａと枠材２、３の断熱材当接面２ａ、３ａを凹凸嵌合させることができる。その結果、枠材２、３と断熱材５の接合部分において屋内側から屋外側に向けて進入する蒸気を嵌合状態の凸条８と凹溝９で阻止でき、当該接合部分に長期に亘り安定した気密性を維持できて、従来のような接合部分に生じる隙間による結露等の発生を防止することができると共に、凸条８と凹溝９の嵌合により枠材２、３と断熱材５との間に安定した固定状態を得ることができる。
【００２２】
特に、枠材２、３の断熱材当接面２ａ、３ａに断熱材５の端面５ａが嵌入可能な段差状の切欠き７がそれぞれ設けられ、この切欠き７部分に該切欠き７の深さｈ２と同一高さｈ１の凸条８がそれぞれ設けられているため、断熱材５の端面５ａを枠材２、３の断熱材当接面２ａ、３ａの切欠き７に確実に位置決めしつつ固定できて、断熱材５と枠材２、３との間に一層安定した固定状態を得ることができる。また、切欠き７や凸条８及び凹溝９により、壁パネル１を組み立てる際の断熱材５と各枠材２、３の位置決めを確実かつ簡単に行うことができて、壁パネル１の組み立てコストを低減できると共に、凸条８を枠材２、３に簡単に加工できて、枠材２、３の加工コストを低減できる等、安価な壁パネル１を得ることが可能となる。
【００２３】
また、左右の枠材２間に配置された間柱４の断熱材当接面４ａとこの間柱４に当接する断熱材５の断面５ａにも凸条８もしくは凹溝９が設けられているため、間柱４部分にも安定した気密性を維持することができると共に安定した固定状態を得ることができ、各種幅の壁パネル１への適用が可能になると共に、強度や耐久性に優れた壁パネル１を容易に得ることができる。
【００２４】
なお、前記実施形態においては、枠材２、３や間柱４の断熱材当接面２ａ、３ａ、４ａに設けられる凸条８が断面方形状で、断熱材５の端面５ａに設けられる凹溝９が断面方形状である場合について説明したが、本発明はこの構成に限定されず、例えば図５に示すように、枠材２等に設けられる凸条８の側面８ｂを先端側が幅狭となるように傾斜させることでテーパ状とし、この凸条８を断熱材５の断面方形状の凹溝９に嵌合させるようにしても良い。このように構成すれば、凹溝９の幅を例えば凸条８の基端側の幅より若干狭く設定することで凸条８と凹溝９を密に嵌合させることができて、接合部分の気密性を一層向上させることができる。この場合、側面のテーパは、全域に限らず、基端部側にのみ設ける構成としても良い。
【００２５】
また、前記実施形態においては、壁パネル１が構造用面材６を備える場合について説明したが、本発明は、例えば図６に示すように、一対の枠材２、３と、間柱４及び一対の断熱材５のみを備え構造用面材６を備えない壁パネル１にも適用することができるし、また、枠材も左右の枠材２のみで上下の枠材３を備えない壁パネル１にも適用することができる。さらに、前記実施形態においては、凸条８と凹溝９が１条の場合について説明したが、突条８と凹溝９を複数条（例えば二条）設ける構成としても良いし、凸条８を断熱材５側に設け、凹溝９を枠材２、３や間柱４側に設ける構成としても良い。また、前記実施形態における、凸条８や凹溝９の形成位置、間柱４の本数等は一例であって、例えば凸条８と凹溝９を切欠き７の中間位置ではなく屋内側に寄せて設ける等、本発明の各発明に係わる要旨を逸脱しない範囲において適宜の構成を採用することができる。
【産業上の利用可能性】
【００２６】
本発明は、各種建築構造物の壁面として使用可能な各種木質系壁パネルに利用できる。
【符号の説明】
【００２７】
１・・・・壁パネル
３・・・・枠材
２ａ・・・断熱材当接面
３・・・・枠材
４・・・・間柱
４ａ・・・断熱材当接面
５・・・・断熱材
５ａ・・・端面
６・・・・構造用面材
７・・・・切欠き
８・・・・突条
８ａ・・・溝
８ｂ・・・側面
９・・・・凹溝
１０・・・釘
１１・・・柱
ｈ１・・・凸条の高さ
ｈ２・・・凹溝の深さ
【図１】
2010285741.tif 000003
【図２】
2010285741.tif 000004
【図３】
2010285741.tif 000005
【図４】
2010285741.tif 000006
【図５】
2010285741.tif 000007
【図６】
2010285741.tif 000008
【図７】
2010285741.tif 000009
【図８】
2010285741.tif 000010